(57)【要約】【課題】知的財産に関する権利に基づくライセンス契約の促進を図る。【解決手段】マーケティング支援装置１は、知的財産に関する権利の情報１０１と該権利を利用した商品の情報１０２と販売権の単価１０３とを対応させて記憶する記憶部１００と、権利の情報および／または商品の情報１１２を入力するとともに、販売権の購入金額１１３を入力する入力部１１０と、入力部１１０により入力された権利の情報および／または商品の情報１１２に対応する販売権の単価１０３を記憶部１００から読み出すとともに、購入金額１１３を販売権の単価１０３で除して販売権の購入数量を設定する購入数量設定部１３０と、購入数量設定部１３０により設定された販売権の購入数量を商品の販売を希望する者に、入力部１１０により入力された販売権の購入金額１１３を権利の売買を希望する者に、それぞれ通信回線３０を通じて出力する出力部１５０と、を有する。【選択図】図２
2016115165.tif 000002
【特許請求の範囲】
【請求項１】
知的財産に関する権利に基づくライセンスの許諾を許容する者と前記知的財産に関する権利に基づくライセンスの許諾を受けて前記知的財産に関する権利を利用した商品の販売を希望する者との間の取り引きを支援する知的財産マーケティング支援装置であって、
前記知的財産に関する権利を利用した商品の情報を記憶する記憶部を有し、前記商品の販売権を取り引きの対象とすることを特徴とする知的財産マーケティング支援装置。
【請求項２】
前記商品の販売権は、所定の購入金額および／または購入数量で取り引きの対象とされ、前記購入金額および／または前記購入数量は単位化されていることを特徴とする請求項１に記載の知的財産マーケティング支援装置。
【請求項３】
前記単位化された購入金額および／または購入数量を表示する表示データを生成する表示データ生成部を有することを特徴とする請求項２に記載の知的財産マーケティング支援装置。
【請求項４】
知的財産に関する権利に基づくライセンスの許諾を許容する者と前記知的財産に関する権利に基づくライセンスの許諾を受けて前記知的財産に関する権利を利用した商品の販売を希望する者との間の取り引きを支援する知的財産マーケティング支援装置であって、
前記商品の情報および前記商品の販売権の単価を記憶する記憶部と、前記商品の販売権の購入数量を設定する設定部と、前記記憶部に記憶された前記商品の販売権の単価と前記設定部により設定された商品の販売権の購入数量と相互に対応する商品の販売権の購入金額を通信回線を通じて出力する出力部と、を有することを特徴とする知的財産マーケティング支援装置。
【請求項５】
知的財産に関する権利に基づくライセンスの許諾を許容する者と前記知的財産に関する権利に基づくライセンスの許諾を受けて前記知的財産に関する権利を利用した商品の販売を希望する者との間の取り引きを支援する知的財産マーケティング支援装置であって、
前記許諾を許容する者から提供される該許諾を許容する知的財産に関する権利の情報と前記商品の情報と前記商品の販売権の単価を対応させて記憶する記憶部と、
前記商品の販売を希望する者から提供される前記販売を希望する商品の販売権に対応する知的財産に関する権利の情報および／または前記商品の情報、および前記商品の販売権の購入金額を入力する入力部と、
前記入力部により入力された前記知的財産に関する権利の情報および／または前記商品の情報に対応する前記商品の販売権の単価を前記記憶部から読み出すとともに、前記入力部により入力された購入金額を前記読み出した商品の販売権の単価で除して前記商品の販売権の購入数量を演算して設定する購入数量設定部と、
前記通信回線を通じて、前記購入数量設定部により設定された商品の販売権の購入数量および前記入力部により入力された商品の販売権の購入金額を出力する出力部と、を有することを特徴とする知的財産マーケティング支援装置。
【請求項６】
前記商品の販売権の購入金額は、単位化されていることを特徴とする請求項４または請求項５に記載の知的財産マーケティング支援装置。
【請求項７】
前記単位化された購入金額を表示するとともに、該単位化された購入金額に対応する購入数量を表示する表示データを生成する表示データ生成部を有することを特徴とする６に記載の知的財産マーケティング支援装置。
【請求項８】
前記商品の販売権の取り引きに関する契約書を作成する契約書作成部を有することを特徴とする請求項１、請求項４、請求項５に記載の知的財産マーケティング支援装置。
【請求項９】
前記記憶部は、前記商品の販売権の取り引きを支援する支援者の情報を記憶することを特徴とする請求項１、請求項４、請求項５に記載の知的財産マーケティング支援装置。
【請求項１０】
前記支援者の情報は、前記商品の試作品を製造する支援者の情報とすることを特徴とする請求項９に記載の知的財産マーケティング支援装置。
【請求項１１】
前記商品の販売権は、前記知的財産に関する権利に基づく通常実施権または通常使用権に対応して許諾されることを特徴とする請求項１、請求項４、請求項５に記載の知的財産マーケティング支援装置。
【請求項１２】
前記商品の販売権は、前記知的財産に関する権利に基づく通常実施権または通常使用権の再実施権または再使用権に対応して許諾されることを特徴とする請求項１、請求項４、請求項５に記載の知的財産マーケティング支援装置。
【請求項１３】
知的財産に関する権利に基づくライセンスの許諾を許容する者と前記知的財産に関する権利に基づくライセンスの許諾を受けて前記知的財産に関する権利を利用した商品の販売を希望する者との間の取り引きを支援する知的財産マーケティング支援装置であって、
前記許諾を許容する者から提供される前記許諾を許容する知的財産に関する権利の情報と前記商品の情報と前記商品の販売権の単価を対応させて記憶するとともに、前記商品の販売権の取り引きに関する契約書の雛型の情報と前記商品の販売権の取り引きを支援する前記商品の試作品を製造する支援者の情報を記憶する記憶部と、
前記商品の販売を希望する者から提供される該商品の販売を希望する者の情報、前記販売を希望する商品の販売権に対応する知的財産に関する権利の情報および／または前記商品の情報、および前記商品の販売権の購入金額を入力する入力部と、
前記入力部により入力された前記知的財産に関する権利の情報および／または前記商品の情報に対応する前記商品の販売権の単価を前記記憶部から読み出すとともに、前記入力部により入力された購入金額を前記読み出した商品の販売権の単価で除して前記商品の販売権の購入数量を演算して設定する購入数量設定部と、
前記商品の販売権の購入金額は、単位化され、該単位化された購入金額を表示するとともに、該単位化された購入金額に対応し、前記購入数量設定部により設定された購入数量を表示する表示データを生成する表示データ生成部と、
前記入力部により入力された前記商品の販売を希望する者の情報と；前記知的財産に関する権利の情報および／または前記商品の情報と；前記商品の販売権の購入金額と；前記購入数量設定部により設定された前記商品の購入数量と；前記記憶部に記憶された契約書の雛型の情報と；に基づいて商品の販売権の取り引きに関する契約書を作成する契約書作成部と、
前記通信回線を通じて、前記契約書作成部により作成された契約書を前記許諾を許容する者および前記商品の販売を希望する者に出力する出力部と、
前記商品の販売権は、通常実施権または通常使用権若しくは前記通常実施権の再実施権または前記通常使用権の再使用権に対応して許諾されることを特徴とする知的財産マーケティング支援装置。
【請求項１４】
コンピュータを、
知的財産に関する権利に基づくライセンスの許諾を許容する者から提供される前記知的財産に関する権利を利用した商品の情報および前記商品の販売権の単価を記憶する記憶部と、前記知的財産に関する権利に基づくライセンスの許諾を受けて前記利的財産に関する権利を利用した商品の販売を希望する者の前記商品の販売権の購入数量を設定する設定部と、前記記憶部に記憶された前記商品の販売権の単価と前記設定部により設定された商品の販売権の購入数量とに対応する商品の販売権の購入金額を通信回線を通じて出力する出力部として機能させることを特徴とするプログラム。
【請求項１５】
コンピュータを、
知的財産に関する権利に基づくライセンスの許諾を許容する者から提供される該許諾を許容する知的財産に関する権利の情報と前記知的財産に関する権利を利用した商品の情報と前記商品の販売権の単価を対応させて記憶する記憶部と、
前記知的財産に関する権利に基づくライセンスの許諾を受けて前記商品の販売を希望する者から提供される前記販売を希望する商品の販売権に対応する知的財産に関する権利の情報および／または前記商品の情報、および前記商品の販売権の購入金額を入力する入力部と、
前記入力部により入力された前記知的財産に関する権利の情報および／または前記商品の情報に対応する前記商品の販売権の単価を前記記憶部から読み出すとともに、前記入力部により入力された購入金額を前記読み出した商品の販売権の単価で除して前記商品の販売権の購入数量を演算して設定する購入数量設定部と、
前記通信回線を通じて、前記購入数量設定部により設定された商品の販売権の購入数量および前記入力部により入力された商品の販売権の購入金額を出力する出力部として機能させることを特徴とするプログラム。
【請求項１６】
コンピュータを、
知的財産に関する権利に基づくライセンスの許諾を許容する者から提供される該許諾を許容する知的財産に関する権利の情報と前記知的財産に関する権利を利用した商品の情報と前記商品の販売権の単価を対応させて記憶するとともに、前記商品の販売権の取り引きに関する契約書の雛型の情報と前記商品の販売権の取り引きを支援する前記商品の試作品を製造する支援者の情報を記憶する記憶部と、
前記知的財産に関する権利に基づくライセンスの許諾を受けて前記商品の販売を希望する者から提供される該商品の販売を希望する者の情報、前記販売を希望する商品の販売権に対応する知的財産に関する権利の情報および／または前記商品の情報、および前記商品の販売権の購入金額を入力する入力部と、
前記入力部により入力された前記知的財産に関する権利の情報および／または前記商品の情報に対応する前記商品の販売権の単価を前記記憶部から読み出すとともに、前記入力部により入力された購入金額を前記読み出した商品の販売権の単価で除して前記商品の販売権の購入数量を演算して設定する購入数量設定部と、
前記商品の販売権の購入金額は、単位化され、該単位化された購入金額を表示するとともに、該単位化された購入金額に対応し、前記購入数量設定部により設定された購入数量を表示する表示データを生成する表示データ生成部と、
前記入力部により入力された前記商品の販売を希望する者の情報と；前記知的財産に関する権利の情報および／または前記商品の情報と；前記商品の販売権の購入金額と；前記購入数量設定部により設定された前記商品の購入数量と；前記記憶部に記憶された契約書の雛型の情報と；に基づいて商品の販売権の取り引きに関する契約書を作成する契約書作成部と、
前記通信回線を通じて、前記契約書作成部により作成された契約書を前記許諾を許容する者および前記商品の販売を希望する者に出力する出力部として機能させることを特徴とするプログラム。
【発明の詳細な説明】
【技術分野】
【０００１】
本発明は、知的財産マーケティング支援装置およびプログラムに関し、特に知的財産に関する権利に基づくライセンスの許諾を許容する者と知的財産に関する権利に基づくライセンスの許諾を受けて知的財産に関する権利を利用した商品の販売を希望する者との間の取り引きを支援する知的財産マーケティング支援装置およびプログラムに関する。
【背景技術】
【０００２】
従来から知的財産に関する権利の取り引きを仲介する装置が提案されている。この装置は、例えば、知的財産に関する権利に基づくライセンスの許諾を許容する者と該ライセンスの許諾を受けることを希望する者とを通信回線を通じて通信可能とするとともに、装置には、知的財産に関する権利の情報が登録され、許諾を許容する者と許諾を受けることを希望する者との間で通信回線を通じて簡単に取り引きを行うことを可能とする。このような技術は例えば特許文献１または特許文献２に開示される技術が参照される。
【先行技術文献】
【特許文献】
【０００３】
【特許文献１】特開２００３−３３１１５４号
【特許文献２】特開２０１４−２０９３８８号
【発明の概要】
【発明が解決しようとする課題】
【０００４】
ところで、知的財産とは、知的財産基本法第２条に定義されるように、人間の創造的活動により生み出されるものとされており、例えば特許権や実用新案権が含まれる。すなわち、例えば特許権や実用新案権は、保護対象を技術的思想の創作としており、目に見えない無体な財産権と言われている。このような特許権等を出願する際にはその無体な創作を文章で概念的に表現し出願書類として特許庁に提出する。この出願書類は権利書として機能するものであり、特許権等の取り引きを行う場合には権利の内容や技術内容を出願書類から参酌して行うのが一般的である。
【０００５】
しかしながら、特許権等は無体な創作であり、概念的なものであるから、特許権等に基づくライセンスの許諾を受けることを希望する者が権利の内容や技術内容を出願書類から参酌してもその価値や利用用途を端的に理解することが難しく結局取り引きに至らず知的財産に関するマーケティングが促進されないということが多々あった。このため、折角通信回線を通じて簡単に取り引きを行うことを可能としても取り引きが普及しないという問題があった。
本願発明は上記事情に鑑みてなされたものであり、知的財産に関する権利に基づくライセンス契約の促進を図ることにより、知的財産に関するマーケティングの支援をすることができる知的財産マーケティング支援装置およびプログラムを提供することを目的とする。
【課題を解決するための手段】
【０００６】
上記目的を達成するために、知的財産マーケティング支援装置係る請求項１の発明は、知的財産に関する権利に基づくライセンスの許諾を許容する者と知的財産に関する権利に基づくライセンスの許諾を受けて知的財産に関する権利を利用した商品の販売を希望する者との間の取り引きを支援する知的財産マーケティング支援装置であって、知的財産に関する権利を利用した商品の情報を記憶する記憶部を有し、商品の販売権を取り引きの対象とすることを特徴とする。
【０００７】
本発明によれば、知的財産に関する権利を利用した商品の情報を記憶する記憶部を有し、商品の販売権を取り引きの対象とすることとしたので、商品の情報を把握しつつ取り引き対象を概念的で無体な知的財産から有体で具体的な商品の販売権に変換することができ、その価値や利用用途を容易に理解しながら取り引きを行うことが可能となる。これにより、知的財産に関する権利に基づくライセンス契約の促進を図ることができ、知的財産に関するマーケティングの支援をすることができる。
【０００８】
商品の販売権は、所定の購入金額および／または購入数量で取り引きの対象とされ、購入金額および／または購入数量は単位化されていることとすれば、取り引きの単位が明確になるので、商品の販売権の取り引きが行いやすくなる（請求項２）。
単位化された購入金額および／または購入数量を表示する表示データを生成する表示データ生成部を有することとすれば、取り引きの単位を明示することができ、商品の販売権の取り引きが更に行いやすくなる（請求項３）。
【０００９】
上記目的を達成するために、知的財産マーケティング支援装置に係る請求項４の発明は、知的財産に関する権利に基づくライセンスの許諾を許容する者と知的財産に関する権利に基づくライセンスの許諾を受けて知的財産に関する権利を利用した商品の販売を希望する者との間の取り引きを仲介することにより、知的財産に関するマーケティングを支援する知的財産マーケティング支援装置であって、商品の情報および商品の販売権の単価を記憶する記憶部と、商品の販売権の購入数量を設定する設定部と、記憶部に記憶された商品の販売権の単価と設定部により設定された商品の販売権の購入数量とに対応する商品の販売権の購入金額を通信回線を通じて出力する出力部と、を有することを特徴とする。
【００１０】
本発明によれば、商品の情報および商品の販売権の単価を記憶する記憶部と、商品の販売権の購入数量を設定する設定部と、記憶部に記憶された商品の販売権の単価と設定部により設定された商品の販売権の購入数量とに対応する商品の販売権の購入金額を通信回線を通じて出力する出力部と、を有することとしたので、すなわち、商品の情報を記憶する記憶部を有し、商品の販売権を所定の購入金額で取り引きの対象とすることとしたので、商品の情報を把握しつつ取り引き対象を概念的で無体な知的財産から有体で具体的な商品の販売権に変換することができ、その価値や利用用途を容易に理解しながら取り引きを行うことが可能となる。これにより、知的財産に関する権利に基づくライセンス契約の促進を図ることができ、知的財産に関するマーケティングの支援をすることができる。
【００１１】
上記目的を達成するために、知的財産マーケティング支援装置に係る請求項５の発明は、知的財産に関する権利に基づくライセンスの許諾を許容する者と知的財産に関する権利に基づくライセンスの許諾を受けて知的財産に関する権利を利用した商品の販売を希望する者との間の取り引きを仲介することにより、知的財産に関するマーケティングを支援する知的財産マーケティング支援装置であって、許諾を許容する者から提供される該許諾を許容する知的財産に関する権利の情報と商品の情報と商品の販売権の単価を対応させて記憶する記憶部と、商品の販売を希望する者から提供される販売を希望する商品の販売権に対応する知的財産に関する権利の情報および／または商品の情報、および商品の販売権の購入金額を入力する入力部と、入力部により入力された知的財産に関する権利の情報および／または商品の情報に対応する商品の販売権の単価を記憶部から読み出すとともに、入力部により入力された購入金額を読み出した商品の販売権の単価で除して商品の販売権の購入数量を演算して設定する購入数量設定部と、通信回線を通じて、購入数量設定部により設定された商品の販売権の購入数量および入力部により入力された商品の販売権の購入金額を出力する出力部と、を有することを特徴とする。
【００１２】
本発明によれば、許諾を許容する者から提供される該許諾を許容する知的財産に関する権利の情報と商品の情報と商品の販売権の単価を対応させて記憶する記憶部と、商品の販売を希望する者から提供される販売を希望する商品の販売権に対応する知的財産に関する権利の情報および／または商品の情報、および商品の販売権の購入金額を入力する入力部と、入力部により入力された知的財産に関する権利の情報および／または商品の情報に対応する商品の販売権の単価を記憶部から読み出すとともに、入力部により入力された購入金額を読み出した商品の販売権の単価で除して商品の販売権の購入数量を演算して設定する購入数量設定部と、通信回線を通じて、購入数量設定部により設定された商品の販売権の購入数量および入力部により入力された商品の販売権の購入金額を出力する出力部と、を有することとしたので、すなわち、商品の情報を記憶する記憶部を有し、商品の販売権を所定の購入金額で取り引きの対象とすることとしたので、商品の情報を把握しつつ取り引き対象を概念的で無体な知的財産から有体で具体的な商品の販売権に変換することができ、その価値や利用用途を容易に理解しながら取り引きを行うことが可能となる。これにより、知的財産に関する権利に基づくライセンス契約の促進を図ることができ、知的財産に関するマーケティングの支援をすることができる。
【００１３】
商品の販売権の購入金額は、単位化されていることとすれば、取り引きの単位が明確になるので、商品の販売権の取り引きが行いやすくなる。また、購入金額が単位化されることとすれば、購入数量も単位化されるので、商品の販売を希望する者は、更に、販売権の購入の有無の判断がし易くなり、販売能力に応じた販売計画も容易に立てることができる（請求項６）。
【００１４】
単位化された購入金額を表示するとともに、該単位化された購入金額に対応する購入数量を表示する表示データを生成する表示データ生成部を有することとすれば、取り引きの単位を明示することができ、商品の販売権の取り引きが更に行いやすくなる（請求項７）。
商品の販売権の取り引きに関する契約書を作成する契約書作成部を有することとすれば、煩雑な契約書の作成の手間を省くことが可能となる（請求項８）。
【００１５】
記憶部は、商品の販売権の取り引きを支援する支援者の情報を記憶することとすれば（請求項９）、より詳しくは支援者の情報は、商品の試作品を製造する支援者の情報とすることとすれば（請求項１０）、商品の販売を希望する者が商品化のノウハウに乏しい場合にあっても、支援者から容易に支援を受けつつ商品化を行うことが可能となる。
【００１６】
商品の販売権は、知的財産に関する権利に基づく通常実施権または通常使用権に対応して許諾されることとすれば、通常実施権や通常使用権は債権であり、複数の者に同時に許諾することが可能な権利であるから、通常実施権や通常使用権に対応して販売権を許諾することにより、商品の販売権も複数の者に同時に許諾することが可能となる。したがって、商品の販売権の単価を低額に設定することが可能となる（請求項１１）。
【００１７】
商品の販売権は、知的財産に関する権利に基づく通常実施権または通常使用権の再実施権または再使用権に対応して許諾されることとすれば、例えば、マーケティング支援装置を運営する者等の第三者が、許諾を許容する者から通常実施権の許諾を受け、この第三者が再実施権を許諾して商品の販売を希望する者に商品の販売権を許諾する等、許諾を許容する者が直接関与せずとも取り引きを行うことが可能となる。これにより、許諾を許容する者の交渉の手間を省くことが可能となる（請求項１２）。
【００１８】
上記目的を達成するために、知的財産マーケティング支援装置に係る請求項１３の発明は、知的財産に関する権利に基づくライセンスの許諾を許容する者と知的財産に関する権利に基づくライセンスの許諾を受けて知的財産に関する権利を利用した商品の販売を希望する者との間の取り引きを支援する知的財産マーケティング支援装置であって、許諾を許容する者から提供される許諾を許容する知的財産に関する権利の情報と商品の情報と商品の販売権の単価を対応させて記憶するとともに、商品の販売権の取り引きに関する契約書の雛型の情報と商品の販売権の取り引きを支援する商品の試作品を製造する支援者の情報を記憶する記憶部と、商品の販売を希望する者から提供される該商品の販売を希望する者の情報、販売を希望する商品の販売権に対応する知的財産に関する権利の情報および／または商品の情報、および商品の販売権の購入金額を入力する入力部と、入力部により入力された知的財産に関する権利の情報および／または商品の情報に対応する商品の販売権の単価を記憶部から読み出すとともに、入力部により入力された購入金額を読み出した商品の販売権の単価で除して商品の販売権の購入数量を演算して設定する購入数量設定部と、商品の販売権の購入金額は、単位化され、該単位化された購入金額を表示するとともに、該単位化された購入金額に対応し、購入数量設定部により設定された購入数量を表示する表示データを生成する表示データ生成部と、入力部により入力された商品の販売を希望する者の情報と；知的財産に関する権利の情報および／または商品の情報と；商品の販売権の購入金額と；購入数量設定部により設定された商品の購入数量と；記憶部に記憶された契約書の雛型の情報と；に基づいて商品の販売権の取り引きに関する契約書を作成する契約書作成部と、通信回線を通じて、契約書作成部により作成された契約書を許諾を許容する者および商品の販売を希望する者に出力する出力部と、商品の販売権は、通常実施権または通常使用権若しくは通常実施権の再実施権または通常使用権の再使用権に対応して許諾されることを特徴とする。
【００１９】
本発明によれば、商品の情報を把握しつつ取り引き対象を概念的で無体な知的財産から有体で具体的な商品の販売権に変換することができ、その価値や利用用途を容易に理解しながら取り引きを行うことが可能となる。これにより、知的財産に関する権利に基づくライセンス契約の促進を図ることができ、知的財産に関するマーケティングの支援をすることができる。
【００２０】
上記目的を達成するために、プログラムに係る請求項１４の発明は、コンピュータを、知的財産に関する権利に基づくライセンスの許諾を許容する者から提供される知的財産に関する権利を利用した商品の情報および商品の販売権の単価を記憶する記憶部と、知的財産に関する権利に基づくライセンスの許諾を受けて知的財産に関する権利を利用した商品の販売を希望する者の商品の販売権の購入数量を設定する設定部と、記憶部に記憶された商品の販売権の単価と設定部により設定された商品の販売権の購入数量とに対応する商品の販売権の購入金額を通信回線を通じて出力する出力部として機能させることを特徴とする。
【００２１】
上記目的を達成するために、プログラムに係る請求項１５の発明は、コンピュータを、知的財産に関する権利に基づくライセンスの許諾を許容する者から提供される該許諾を許容する知的財産に関する権利の情報と知的財産に関する権利を利用した商品の情報と商品の販売権の単価を対応させて記憶する記憶部と、知的財産に関する権利に基づくライセンスの許諾を受けて商品の販売を希望する者から提供される販売を希望する商品の販売権に対応する知的財産に関する権利の情報および／または商品の情報、および商品の販売権の購入金額を入力する入力部と、入力部により入力された知的財産に関する権利の情報および／または商品の情報に対応する商品の販売権の単価を記憶部から読み出すとともに、入力部により入力された購入金額を読み出した商品の販売権の単価で除して商品の販売権の購入数量を演算して設定する購入数量設定部と、通信回線を通じて、購入数量設定部により設定された商品の販売権の購入数量および入力部により入力された商品の販売権の購入金額を出力する出力部として機能させることを特徴とする。
【００２２】
上記目的を達成するために、プログラムに係る請求項１６の発明は、コンピュータを、知的財産に関する権利に基づくライセンスの許諾を許容する者から提供される該許諾を許容する知的財産に関する権利の情報と知的財産に関する権利を利用した商品の情報と商品の販売権の単価を対応させて記憶するとともに、商品の販売権の取り引きに関する契約書の雛型の情報と商品の販売権の取り引きを支援する商品の試作品を製造する支援者の情報を記憶する記憶部と、知的財産に関する権利に基づくライセンスの許諾を受けて商品の販売を希望する者から提供される該商品の販売を希望する者の情報、販売を希望する商品の販売権に対応する知的財産に関する権利の情報および／または商品の情報、および商品の販売権の購入金額を入力する入力部と、入力部により入力された知的財産に関する権利の情報および／または商品の情報に対応する商品の販売権の単価を記憶部から読み出すとともに、入力部により入力された購入金額を読み出した商品の販売権の単価で除して商品の販売権の購入数量を演算して設定する購入数量設定部と、商品の販売権の購入金額は、単位化され、該単位化された購入金額を表示するとともに、該単位化された購入金額に対応し、購入数量設定部により設定された購入数量を表示する表示データを生成する表示データ生成部と、入力部により入力された商品の販売を希望する者の情報と；知的財産に関する権利の情報および／または商品の情報と；商品の販売権の購入金額と；購入数量設定部により設定された商品の購入数量と；記憶部に記憶された契約書の雛型の情報と；に基づいて商品の販売権の取り引きに関する契約書を作成する契約書作成部と、通信回線を通じて、契約書作成部により作成された契約書を許諾を許容する者および商品の販売を希望する者に出力する出力部として機能させることを特徴とする。
【００２３】
すなわち、本発明に係るプログラムを用いることで、商品の情報を把握しつつ取り引き対象を概念的で無体な知的財産から有体で具体的な商品の販売権に変換することができ、その価値や利用用途を容易に理解しながら取り引きを行うことが可能となる。これにより、知的財産に関する権利に基づくライセンス契約の促進を図ることができ、知的財産に関するマーケティングの支援をすることが可能となる。
【発明の効果】
【００２４】
本発明によれば、知的財産に関する権利に基づくライセンス契約の促進を図ることにより、知的財産に関するマーケティングの支援をすることができる。
【図面の簡単な説明】
【００２５】
【図１】本発明の第１実施形態に係るシステムの全体構成の概要を示す図である。
【図２】本発明の第１実施形態に係るシステムの知的財産マーケティング支援装置の構成を示すブロック図である。
【図３】知的財産マーケティング支援装置の記憶部の構成を示す図である。
【図４】知的財産マーケティング支援装置の入力部の構成を示す図である。
【図５】知的財産マーケティング支援装置の購入数量設定部の処理フローを示す図である。
【図６】知的財産マーケティング支援装置の表示データ作成部の構成を示す図である。
【図７】知的財産マーケティング支援装置の契約書販作成部の処理フローを示す図である。
【図８】知的財産マーケティング支援装置の出力部の処理フローを示す図である。
【図９】知的財産マーケティング支援装置の動作フローを説明するためのフローチャートである。
【図１０】本発明の第２実施形態を概念的に説明する図である。
【図１１】本発明の第２実施形態に係るシステムの全体構成の概要を示す図である。
【発明を実施するための形態】
【００２６】
以下、本発明の実施形態について図面を参照して詳細に説明する。
図１は本発明の第１実施形態を示すシステムの全体構成の概要を示す図である。同図を参照して本発明のシステムの概要を説明すると、同システムは、知的財産マーケティング支援装置１と、知的財産に関する権利を有し該知的財産に関する権利に基づくライセンスの許諾を許容する者（以下、単に許諾を許容する者とする場合がある）の端末１０（以下、第１の端末１０とする場合がある）および知的財産に関する権利の許諾を受けて知的財産に関する権利を利用した商品の販売を希望する者（以下、単に商品の販売を希望する者とする場合がある）の端末２０（以下、第２の端末２０とする場合がある）と、がインターネット回線等のネットワーク通信回線３０（以下、単に通信回線３０とする場合がある）を通じて接続されて構成されており、第１の端末１０および第２の端末２０と知的財産マーケティング支援装置１は相互にデータの送受信が可能となっている。第１の端末１０および第２の端末２０は、例えばパーソナルコンピュータ等、コンピュータとしての一般的構成を備えるものとする。
【００２７】
知的財産マーケティング支援装置１は、知的財産に関する権利の取り引きを支援する装置として機能し、より詳しくは、許諾を許容する者と商品の販売を希望する者との間の取り引きを支援する装置として機能する。知的財産マーケティング支援装置１は、知的財産に関する権利を利用した商品の販売権（以下、単に商品の販売権とする場合がある）の取り引きを支援する。
【００２８】
知的財産マーケティング支援装置１は、Ｗｅｂサーバとして機能し、図２に示すように、記憶部１００、入力部１１０、購入数量設定部１２０、表示データ生成部１３０、契約書作成部１４０、および出力部１５０を有している。すなわち、知的財産マーケティング支援装置１は、コンピュータとしての一般的構成を備え、入力キー、ディスプレイ、メモリ、およびＣＰＵ等を有しており、プログラム２００を実行することにより、知的財産マーケティング支援装置１のコンピュータを、記憶部１００、入力部１１０、購入数量設定部１２０、表示データ生成部１３０、契約書作成部１４０、および出力部１５０として機能させることができる。
【００２９】
記憶部１００は、図３に示すように、許諾を許容する者から提供される複数の知的財産に関する権利の情報１０１（以下、単に知的財産に関する権利の情報１０１とする場合がある）と知的財産に関する権利を利用した商品の情報１０２（以下、単に商品の情報１０２とする場合がある）と商品の販売権の単価１０３（以下、単に販売権の単価１０３とする場合がある）とを対応させて記憶する機能を有している。また、記憶部１００は、商品の販売権の取り引きに関する契約書の雛型の情報１０４（以下、単に雛型の情報１０４とする場合がある）と、商品の販売権の取り引きを支援する支援者の情報１０５より詳しくは商品の試作品を製造する支援者の情報１０５（以下、単に支援者の情報１０５とする場合がある）と、を記憶する機能を有している。記憶部１００は、商品の試作品を製造する支援者の情報１０５を記憶することとしたので、商品の販売を希望する者が商品化のノウハウに乏しい場合にあっても、支援者の情報１０５にアクセスして参照することができ、容易に支援を受けつつ商品化を行うことが可能となる。
【００３０】
ここで、知的財産に関する権利の情報１０１には、知的財産に関する権利の内容、権利の存続期間、許諾を許容する者の情報が含まれ、知的財産に関する権利には、少なくとも特許権、実用新案権、意匠権、商標権、著作権等が含まれる。
また、知的財産に関する権利を利用した商品とは、その商品の製造、販売等がその知的財産に関する権利の実施や使用に該当し、正当な権原なく実施や使用する場合は権利侵害を構成するものをいう。
【００３１】
更に、商品の情報１０２には、商品の用途、使用方法、製造方法やその商品の市場規模等が含まれる他、商品をイメージすることができる情報、商品の構造や形状等を把握できる情報として商品の写真や図面等の視覚化された情報も含まれる。つまり、商品の情報１０２とは、有体で具体的な商品の情報をいう。
また更に、商品の販売権とは、商品を販売することができる権利であり、キャラクター等の商品化に用いられる商品化権も含む概念とする。また、本発明においては、商品の販売権は、知的財産に関する権利に基づく通常実施権または通常使用権に対応して一体に許諾され、商品の販売を希望する者は、許諾を許容する者から通常実施権または通常使用権の許諾を受けつつ商品の販売権の許諾を受けている。
【００３２】
更に、販売権の単価１０３とは、販売権１件当たりの価格、つまり商品を１個販売することができる権利の価格を言い、例えば、販売権の単価１０３として、商品１個当たりのロイヤリティーが設定される（例えば、商品１個の価格が１０００００円でロイヤリティー料率が１０％の場合、販売権の単価は１００００円となる）。更にまた支援者の情報１０５には、支援者の事業内容や連絡先等が含まれる。
【００３３】
入力部１１０は、図４に示すように、第２の端末２０を介して、許諾を許容する者からの各種の情報を入力する機能を有している。すなわち、入力部１１０は、商品の販売を希望する者の情報１１１、販売を希望する商品の販売権に対応する権利の情報（以下、単に商品の販売権に対応する権利の情報とする場合がある）および／または商品の情報１１２、および販売権の購入金額１１３、その他の情報を入力する機能を有している。なお、販売権の購入金額１１３は、予め定められており、かつ、単位化されている。単位化は、１万円以上１００万円以下の範囲で行われ、より詳しくは１万円以上５０万円以下、更に詳しくは１万円以上１０万円以下の範囲で行われる。入力部１１０からの販売権の購入金額１１３の入力は、例えば、単位数を指定して行われる。
【００３４】
購入数量設定部１２０は、図５に示すように、入力部１１０により入力された商品の販売権に対応する権利の情報および／または商品の情報１１２に対応する販売権の単価１０３を記憶部１００から読み出すとともに、入力部１１０により入力された購入金額１１３を販売権の単価１０３で除して販売権の購入数量を演算して設定する機能を有している（例えば、販売権の購入金額１１３が１０００００円で販売権の単価が１００００円の場合、販売権の購入数量は１０となり、商品の販売を希望する者は、商品を１０個販売することができる）。なお、購入数量設定部１２０は、演算された購入数量が少数を含む場合は四捨五入し整数として処理する。
【００３５】
表示データ生成部１３０は、図６に示すように、記憶部１００に記憶された知的財産に関する権利の情報１０１と商品の情報１０２と販売権の単価１０３とを対応させて表示する表示データを生成する機能を有している。また、表示データ生成部１２０は、契約書の雛型の情報１０４および支援者の情報１０５を表示する表示データを生成する機能も有している。更に、表示データ生成部１３０は、単位化された購入金額１１３ａを表示するとともに、該単位化された購入金額１１３ａに対応する購入数量１１３ｂを表示する表示データを生成する機能を有している。
【００３６】
契約書作成部１４０は、図７に示すように、入力部１１０により入力された商品の販売を希望する者の情報１１１、商品の販売権に対応する権利の情報および／または商品の情報１１２、販売権の購入金額１１３、購入数量設定部１３０により設定された商品の購入数量、および記憶部１００に記憶された雛型の情報１０４に基づいて商品の販売権の取り引きに関する契約書を作成する機能を有している。
【００３７】
出力部１５０は、図８に示すように、通信回線３０を通じて、表示データ生成部１２０により生成された表示データおよび契約書作成部１４０により作成された契約書を許諾を許容する者および商品の販売を希望する者の双方に出力する機能を有している。なお、生成された表示データは、通信回線３０を通じて第１の端末１０および第２の端末２０に送られて、第１の端末１０および第２の端末２０の表示画面に表示される。また、作成された契約書は、通信回線３０を通じてメール等の手段を通じて第１の端末１０および第２の端末２０に送られる。
【００３８】
次に、知的財産マーケティング支援装置１による動作フローを図９のフローチャートに基づいて説明する。なお、以下に示す知的財産マーケティング支援装置１の動作は、上記の如く、プログラム２００を実行することにより実現される。
【００３９】
すなわち、プログラム２００を実行することにより、知的財産マーケティング支援装置１のコンピュータを、記憶部１００、入力部１１０、購入数量設定部１２０、表示データ生成部１３０、契約書作成部１４０、および出力部１５０として機能させることができ、より詳しくは、プログラム２００を実行することにより、知的財産マーケティング支援装置１のコンピュータを、許諾を許容する者から提供される商品の情報１０２および販売権の単価１０３を記憶する記憶部１００と、商品の販売を希望する者の商品の販売権の購入数量を設定する購入数量設定部１２０と、記憶部１００に記憶された販売権の単価１０３と購入数量設定部１２０により設定された販売権の購入数量とに対応する販売権の購入金額１１３を通信回線３０を通じて出力する出力部１５０として機能させることができ、更に詳しくは、知的財産マーケティング支援装置１のコンピュータを、許諾を許容する者から提供される該許諾を許容する知的財産に関する権利の情報１０１と商品の情報１０２と販売権の単価１０３を対応させて記憶する記憶部１００と、商品の販売を希望する者から提供される販売を希望する商品の販売権に対応する知的財産に関する権利の情報および／または商品の情報１１２、および販売権の購入金額１１３を入力する入力部１１０と、入力部１１０により入力された知的財産に関する権利の情報および／または商品の情報１１２に対応する販売権の単価１０３を記憶部１００から読み出すとともに、入力部１００により入力された購入金額１１３を読み出した販売権の単価１０３で除して販売権の購入数量を演算して設定する購入数量設定部１２０と、通信回線３０を通じて、購入数量設定部１２０により設定された販売権の購入数量および入力部１１０により入力された販売権の購入金額１１３を出力する出力部１５０として機能させることができ、更に詳しくは、知的財産マーケティング支援装置１のコンピュータを、許諾を許容する者から提供される該許諾を許容する知的財産に関する権利の情報１０１と商品の情報１０２と販売権の単価１０３を対応させて記憶するとともに、契約書の雛型の情報１０４と支援者の情報１０５を記憶する記憶部１００と、商品の販売を希望する者から提供される該商品の販売を希望する者の情報１１１、商品の販売権に対応する知的財産に関する権利の情報および／または商品の情報１１２、および販売権の購入金額１１３を入力する入力部１１０と、入力部１１０により入力された知的財産に関する権利の情報１０１および／または商品の情報１１２に対応する販売権の単価１０３を記憶部１００から読み出すとともに、入力部１１０により入力された購入金額１１３を読み出した販売権の単価１０３で除して販売権の購入数量を演算して設定する購入数量設定部１２０と、販売権の購入金額１１３は、単位化され、該単位化された購入金額１０６を表示するとともに、該単位化された購入金額１０６に対応し購入数量設定部１２０により設定された購入数量１０７を表示する表示データを生成する表示データ生成部１３０と、入力部１１０により入力された商品の販売を希望する者の情報１１１と；知的財産に関する権利の情報および／または商品の情報１１２と；販売権の購入金額１１３と；購入数量設定部１２０により設定された商品の購入数量と；記憶部１００に記憶された契約書の雛型の情報１０４と；に基づいて商品の販売権の取り引きに関する契約書を作成する契約書作成部１４０と、通信回線３０を通じて、契約書作成部１４０により作成された契約書を許諾を許容する者および商品の販売を希望する者に出力する出力部１５０として機能させることができる。
【００４０】
知的財産マーケティング支援装置１による動作フローは、まずステップＳ１０により始まる。
すなわち、ステップＳ１０において、商品の販売を希望する者が第２の端末２０および通信回線３０を介して知的財産マーケティング支援装置１に所定の情報を入力してアクセスする。
【００４１】
次に、ステップＳ２０において、ステップＳ１０で入力された所定の情報を入力部１１０により入力するとともに、入力部１１０からの入力により表示データ生成部１３０が記憶部１００から知的財産に関する権利の情報１０１と商品の情報１０２と販売権の単価１０３とを読み出す。そして、表示データ生成部１３０は、読み出した知的財産に関する権利の情報１０１と商品の情報１０２と販売権の単価１０３とを対応させて表示する表示データを生成する。また、表示データ生成部１１０は、記憶部１００から支援者の情報１０５を読み出すとともに、読み出した支援者の情報１０５を表示する表示データを生成する。更に、出力部１５０は、表示データ生成部１３０により生成された知的財産に関する権利の情報１０１と商品の情報１０２と販売権の単価１０３とを対応させて表示する表示データと支援者の情報１０５を表示する表示データとを通信回線３０を通じて送信する。これにより、第２の端末２０の表示画面に表示データを表示させることができる。
【００４２】
続いて、ステップＳ３０において、第２の端末２０、通信回線３０、入力部１１０を介して、商品の販売を希望する者から提供される該商品の販売を希望する者の情報１１１、商品の販売権に対応する権利の情報および／または商品の情報１１２、および販売権の購入金額１１３を入力する。販売権の購入金額１１３は、予め定められているので、許諾を許容する者と商品の販売を希望する者との間の煩雑な購入金額１１３の交渉を省略することが可能となる。また、販売権の購入金額１１３は、単位化されているので、取り引きの単位が明確になるので、商品の販売権の取り引きが行いやすくなる。また、単位化は、１万円以上１００万円以下の範囲、より詳しくは１万円以上５０万円以下の範囲、更に詳しくは１万円以上１０万円以下の範囲で行われるので、取り引きの金額を安価に設定することができ、販売権の取り引きが更に行いやすくなる。
【００４３】
すなわち、例えば特許権の実施権の設定は通常は少なくとも数百万円以上で行われており、購入単位を低額に設定することで、ライセンス契約の促進を図ることができる。なお、知的財産に関する権利の情報１０１および／または商品の情報１０２は、ステップＳ２０により記憶部１００から読み出されて第２の端末２０の表示画面に表示される。したがって、商品の販売を希望する者は、第２の端末２０の表示画面から商品の販売権に対応する権利の情報および／または商品の情報１１２を適宜選択し入力することができる。
【００４４】
次いで、ステップＳ４０において、購入数量設定部１３０は、ステップＳ３０で入力部１１０により入力された商品の販売権に対応する権利の情報および／または商品の情報１１２に対応する販売権の単価１０３を記憶部１００から読み出す。そして、購入数量設定部１２０は、ステップＳ２０で入力部１２０により入力された購入金額１１３を、読み出した販売権の単価１０３で除して販売権の購入数量を演算して設定する。ここで、販売権の購入金額１１３は単位化されているので、購入数量も単位化される。よって、商品の販売を希望する者は、更に、販売権の購入の有無の判断がし易くなり、販売能力に応じた販売計画も容易に立てることができる。単位化された販売権の購入金額１１３ａおよび該単位化された購入金額１１３ａに対応する購入数量１１３ｂを表示する表示データは表示データ生成部１３０により生成され、第２の端末２０の表示画面に表示させることができる。
【００４５】
次に、ステップＳ５０において、契約書作成部１４０は、ステップＳ３０で入力部１１０により入力された商品の販売を希望する者の情報１１１、商品の販売権に対応する権利の情報および／または商品の情報１１２、販売権の購入金額１１３、ステップＳ４０で購入数量設定部１２０により設定された商品の購入数量、および記憶部１００に記憶された契約書の雛型の情報１０４に基づいて契約書を作成する。これにより、煩雑な契約書の作成の手間を省くことができる。
【００４６】
続いて、ステップＳ６０において、出力部１５０は、通信回線３０を通じて、ステップＳ５０で契約書作成部１４０により作成された契約書を商品の販売を希望する者および許諾を許容する者の双方に出力し、知的財産マーケティング支援装置１による動作フローを終了する。
【００４７】
以上説明したように、本発明によれば、商品の情報１０２を記憶する記憶部１００を有し、商品の販売権を取り引きの対象とすることとしたので、より詳しくは、商品の情報１０２および販売権の単価１０３を記憶する記憶部１００と、販売権の購入数量を設定する販売数量設定部１２０と、記憶部１００に記憶された販売権の単価１０３と販売数量設定部１２０により設定された販売権の購入数量とに対応する販売権の購入金額１１３を通信回線３０を通じて出力する出力部１５０と、を有することとしたので、更に詳しくは、許諾を許容する者から提供される知的財産に関する権利の情報１０１と商品の情報１０２と販売権の単価１０３を対応させて記憶する記憶部１００と、商品の販売を希望する者から提供される商品の販売権に対応する権利の情報および／または商品の情報１１２、および販売権の購入金額１１３を入力する入力部１１０と、入力部１１０により入力された購入金額１１３を記憶部１００に記憶された販売権の単価１０３で除して販売権の購入数量を演算して設定する購入数量設定部１２０と、通信回線３０を通じて、購入数量設定部１２０により設定された販売権の購入数量および入力部１１０により入力された販売権の購入金額１１３を出力する出力部１５０と、を有することとしたので、商品の情報を把握しつつ取り引き対象を概念的で無体な知的財産から有体で具体的な商品の販売権に変換することができ、その価値や利用用途を容易に理解しながら取り引きを行うことが可能となる。これにより、知的財産に関する権利に基づくライセンス契約の促進を図ることができ、知的財産に関するマーケティングの支援をすることができる。
【００４８】
また、商品の販売権は、知的財産に関する権利に基づく通常実施権または通常使用権に対応して許諾されることとしたので、複数の者に同時に許諾することが可能となる。つまり、通常実施権または通常使用権は債権であり、複数の者に同時に許諾することが可能な権利であるから、商品の販売権も複数の者に同時に許諾することが可能となり、販売権の単価１０３を低額に設定することが可能となる。
【００４９】
次に本発明の第２実施形態について説明する。本発明の第２実施形態は、商品の販売権を、知的財産に関する権利に基づく通常実施権または通常使用権の再実施権または再使用権に対応してこれらと一体に許諾することとしている。
【００５０】
すなわち、第２実施形態にあっては、図１０に示すように、第三者が、許諾を許容する者からサブライセンス付の通常実施権または通常使用権の許諾を受ける。そして、図１１に示すように、知的財産マーケティング支援装置１と、第三者の端末３００（第３の端末３００）および商品の販売を希望する者の端末２０と、がインターネット回線等のネットワーク通信回線３０を通じて接続される構成となっている。
【００５１】
このように、第三者が許諾を許容する者から通常実施権または通常使用権の許諾を受け、この第三者が商品の販売を希望する者に再実施権または再使用権を許諾して販売権を許諾することにより、許諾を許容する者が直接関与せずとも取り引きを行うことが可能となる。これにより、許諾を許容する者の交渉の手間を省くことが可能となる。ここで、第三者が商品の販売を希望する者に商品の販売権を許諾する場合においては、第三者を許諾を許容する者として上述した第１実施形態の各構成を適宜読み替えて実施するものとする。この第三者は例えば知的財産マーケティング支援装置１を有しシステムの運営を行う仲介業者等が想定される。
【００５２】
なお、本発明は特許請求の範囲を逸脱しない範囲で種々の変更実施、応用実施が可能であることは言うまでもない。上述した実施形態にあっては、商品の販売権の購入金額１１３を入力して取り引きを行うこととしているが、商品の販売権の購入数量を入力して取り引きを行う場合も特許請求の範囲に含むものとする。すなわち、本発明は、少なくとも知的財産に関する権利を利用した商品の情報１０２を記憶する記憶部１００を有し、知的財産に関する権利を利用した商品の販売権を取り引き対象とすることとし、あるいは商品の情報１０２および販売権の単価１０３を記憶する記憶部１００と、販売権の購入数量を設定する購入数量設定部１２０と、記憶部１００に記憶された販売権の単価１０３と購入数量設定部１２０により設定された販売権の購入数量とに対応する販売権の購入金額１１３を通信回線３０を通じて出力する出力部１５０と、を有することとすれば従来技術にはない格別の効果を奏することができる。
【産業上の利用可能性】
【００５３】
本発明は、取り引きの対象を概念的で無体な知的財産から有体で具体的な商品の販売権に変換することにより、知的財産に関する権利の取り引きを活発にして、取り引き市場を活性化する等、産業の発達に大きく貢献することができる。
【符号の説明】
【００５４】
１：マーケティング支援装置、１０：第１の端末、２０：第２の端末、３０：通信回線、１００：記憶部、１０１：知的財産に関する権利の情報、１０２：商品の情報、１０３：販売権の単価、１０４：契約書の雛型の情報、１０５：支援者の情報、１１０：入力部、１１１：商品の販売を希望する者の情報、１１２：商品の販売権に対応する権利の情報および／または商品の情報、１１３：商品の販売権の購入金額、１１３ａ：単位化された購入金額１１３ａに対応する購入数量、１１３ｂ：単位化された購入金額に対応する１２０：購入数量設定部、１３０：表示データ生成部、１４０：契約書作成部、１５０：出力部、２００：プログラム、３００：第３の端末
【図１】
2016115165.tif 000003
【図２】
2016115165.tif 000004
【図３】
2016115165.tif 000005
【図４】
2016115165.tif 000006
【図５】
2016115165.tif 000007
【図６】
2016115165.tif 000008
【図７】
2016115165.tif 000009
【図８】
2016115165.tif 000010
【図９】
2016115165.tif 000011
【図１０】
2016115165.tif 000012
【図１１】
2016115165.tif 000013